(57)【要約】【課題】紙材を用いて構成され、リサイクルが可能で、調湿機能を具えて湿度に起因する感動変動を抑止でき、発塵による画像欠陥の発生がなく、輸送や取扱い上充分な強度を備えると共に、加工容易で現行の加工ライン適性をも有するシート状記録材料用包装体を提供する。【解決手段】シート状記録材料の集積体を収容すると共に、紙材で構成され、かつ該紙材の少なくとも一部が調湿機能を有する包装材と該包装材を包装する防湿遮光袋とを有するシート状記録材料用包装体である。【選択図】  なし【特許請求の範囲】
【請求項１】
シート状記録材料の集積体を収容する包装材と該包装材を包装する防湿遮光袋とを有するシート状記録材料用包装体において、
前記包装材が、紙材で構成され、かつ該紙材の少なくとも一部が調湿機能を有することを特徴とするシート状記録材料用包装体。
【請求項２】
単一の紙材が用いられ、該紙材が略矩形である請求項１に記載のシート状記録材料用包装体。
【請求項３】
前記包装材が調湿機能を有する調湿紙板を備えた請求項１又は２に記載のシート状記録材料用包装体。
【請求項４】
前記包装材が、略矩形の紙材を一方の側に長手方向と略直交させて二箇所で折り曲げてなる中央の面を除く一つの面における長手方向と直交する端辺に沿って、折り返し構造の側壁を前記一つの面と一体的に形成して構成された請求項２又は３に記載のシート状記録材料用包装体。
【請求項５】
前記一つの面における長手方向と平行な辺に沿って、折り返し構造の側壁を前記一つの面と一体的に更に形成した請求項４に記載のシート状記録材料用包装体。
【請求項６】
前記包装材が、略矩形の紙材を一方の側に長手方向と略直交させて二箇所で折り曲げてなる凹形状の、いずれか一端から長手方向における所定位置で更に他方の側に長手方向と略直交させて少なくとも一回折り返すことにより、前記シート状記録材料を取り出す取出口を形成して一体的に構成され、かつ折り返されてなる紙材間に調湿紙板を設けた請求項３〜５のいずれか１項に記載のシート状記録材料用包装体。
【請求項７】
前記紙材の長手方向を紙の目と略平行とした請求項２〜６のいずれか１項に記載のシート状記録材料用包装体。
【請求項８】
前記紙材が、ＬＢＫＰ：ＮＢＫＰ比が重量比で５０：５０〜７０：３０であるバージンパルプから製造された紙である請求項１〜７のいずれか１項に記載のシート状記録材料用包装体。
【請求項９】
シート状記録材料が、医療用感熱記録材料である請求項１〜８のいずれか１項に記載のシート状記録材料用包装体。
【発明の詳細な説明】
【０００１】
【発明の属する技術分野】
本発明は、シート状記録材料用包装体に関し、特に、感熱記録に用いられるシート状の感熱記録材料の収容に好適なシート状記録材料用包装体に関する。
【０００２】
【従来の技術】
従来から、多数の発熱素子を有するサーマルヘッドを備えた感熱記録装置、いわゆるサーマルプリンタを用いた感熱記録方法が提案されている。この方法によれば、サーマルヘッドを感熱記録材料に押し当てた状態でその発熱素子を画像信号に応じて選択的に発熱させることによって、感熱記録材料に像を発色形成することができる。
【０００３】
蓄積性蛍光体シートを用いたデジタルラジオグラフィーシステムやＣＴ、ＭＲ等の医療用の画像を記録する画像記録装置は、これまで銀塩写真感光材料に撮影または記録後、湿式処理して再現画像を得るウェットシステムが用いられてきた。しかし、近年、湿式処理を要しないドライシステムによる記録装置が注目される状況にあり、その一つとしてシート状の感熱記録材料を用いた感熱記録装置がある。ところが、医療用の画像は特に高画質なことが要求されるため、感熱記録材料は高画質化するに伴って高感度になってきており、その結果使用・保存環境での湿度変化が感度変動に大きく影響するとの問題があった。
【０００４】
このように湿度依存性のある高感度感熱記録材料を通常の場合と同様に扱うと、経時で感熱記録材料が吸放湿してしまうために、感熱記録材料の感度が変化し、高画質の画像を安定に記録することが困難となる。例えば、感熱記録材料をマガジンに収容して少枚数だけ使用した後、１週間程度使用しなかった場合など、全てを使用するのに長期間を要する場合には、湿度変動の影響を受けて感度変動を来し、同一画像を再生しようとしても当初出力した画像と１週間後に出力した画像とでは同一濃度が得られない、すなわち同一の画像を形成できないという問題が生じてしまう。したがって、このような不都合を回避するため、感熱記録材料を可能な限り所定条件下に保湿された状態で取扱うことが不可避である。
【０００５】
上記のような不都合を回避する技術として、シート状感熱記録材料を収容するための包装材をポリプロピレン等の無塵性の材質とし、かつ調湿部材を備えたシート状感熱記録材料包装体が開示されており、発塵を抑えつつ湿度による感度変動を回避できるとされている（例えば、特許文献１参照）。また、アルミナ珪酸ソーダ等の調湿剤を備えた感熱記録シートパッケージが開示されているものもあり、上記同様に湿度による感度変動を回避できることが記載されている（例えば、特許文献２参照）。尚、発塵があると白抜け等の画像欠陥を招来してしまう。
【０００６】
しかしながら、ポリプロピレン等の樹脂材では発塵はないものの調湿機能もないために無機粉体からなる調湿部材（調湿剤）が不可欠となるが、これら樹脂材や調湿部材（調湿剤）は高価で加工費用がかかるばかりか、廃棄処理が困難で、一般回収ルートに乗せられずリサイクルできない等の環境上の問題があった。また、上記の後者では、パッケージに樹脂材以外にボール紙等を利用することが記載されているが、単にボール紙などを用いただけでは必要とされる調湿機能を確保できず、しかも発塵を生じて白抜け等の画像欠陥を来す問題もあった。
【０００７】
【特許文献１】
特開平９−１０１５９６号公報（第２頁、図１）
【特許文献２】
特開平９−１３２２７７号公報（第２〜３頁、図２）
【０００８】
【発明が解決しようとする課題】
以上のように、湿度の影響を受けやすい感熱記録材料を保湿状態で取扱う技術としては調湿部材（調湿剤）が不可欠とされており、また、医療用の画像を踏まえると発塵による画像欠陥の発生は極力回避しなければならないことから、高価でリサイクル不可能な調湿部材（調湿剤）やポリプロピレン等の樹脂材を用いない、すなわち紙材のみでの包装技術は確立されていなかったのが現状である。
【０００９】
また、包装形態を紙材で代用する場合においても、現行の加工ラインに適用でき、かつ型抜き加工や折り曲げ加工、貼付け加工等を容易に行なえることが必要であり、しかも強度的、寸法的にも実用上問題のない構造を確保可能なことが要求される。
【００１０】
本発明は、上記に鑑み成されたものであり、紙材を用いて構成され、リサイクルが可能で、調湿機能を具えて湿度に起因する感動変動を抑止でき、発塵による画像欠陥の発生がなく、輸送や取扱い上充分な強度を備えると共に、加工容易で現行の加工ライン適性をも有するシート状記録材料用包装体を提供することを目的とし、該目的を達成することを課題とする。
【００１１】
【課題を解決するための手段】
本発明は、シート状記録材料用包装体における、リサイクル性（環境面）、記録媒体としての品質保持、現行の加工工程の適用性を踏まえ、調湿性・低発塵性の紙材の採用、紙の目や構造の検討に基づき達成された。上記課題を解決するための具体的手段は以下の通りである。すなわち、
【００１２】
請求項１に記載の、本発明のシート状記録材料用包装体は、シート状記録材料の集積体を収容する包装材と該包装材を包装する防湿遮光袋とを有し、前記包装材が、紙材で構成され、かつ該紙材の少なくとも一部が調湿機能を有するように構成したものである。ここで、調湿機能とは、湿度が高いときには吸湿し、湿度が低い時には加湿して、感熱記録材料が包装された防湿遮光袋内の湿度環境を一定に保つ機能をいう。
【００１３】
請求項１に記載の発明によれば、包装体が紙材によって構成されるため、廃棄処理が容易でリサイクルも可能となり、しかも包装体自体の軽量化も図られる。さらに、紙材自体が調湿機能を具えるため、別に調湿用の調湿材を設けることなく、密閉された防湿遮光袋内の湿度は一定の範囲に保持される。その結果、従来用いられていた廃棄処理が困難でリサイクル不可能なポリプロピレン等の樹脂材や調湿部材（調湿剤）が不要となり、環境面への悪影響を回避することができる。
【００１４】
請求項２に記載の発明は、請求項１に記載のシート状記録材料用包装体において、包装材に単一の紙材を用い、該紙材を略矩形としたものである。
【００１５】
請求項２に記載の発明によれば、包装材は一枚の紙材で構成されるため、所望の型状に容易に抜き加工することが可能であり、抜き加工と同時に折り曲げ部の筋押し加工なども行なうことができ、最終的に一体構造の包装体が得られる。
【００１６】
また更に、略矩形の紙材が用いられることによって、一枚の紙材からなる一体構造とし易く、シート状記録材料の集積体を収容しかつ枚葉状に取り出すための取出口を有する構造の形成が容易に行なえる。すなわち、現行の加工ラインが適用可能であり、所望の形状への型抜き加工や折り曲げ部の筋押し加工などを行なうことによって簡易かつ迅速に行なうことができる。
【００１７】
請求項３に記載の発明は、請求項１又は２に記載のシート状記録材料用包装体において、包装材に調湿機能を有する調湿紙板を設けて構成したものである。調湿紙板は、板状の紙材で構成され、上記した調湿機能を有するものである。
【００１８】
請求項３に記載の発明によれば、包装体自体と同一の若しくは異なる紙材を用いた紙製の調湿紙板を備えるため、この調湿作用によってより効果的に防湿遮光袋内の湿度を所望の湿度範囲にコントロールすることが可能で、包装された感熱記録材料の湿度による感度変動を防止することができる。
【００１９】
請求項４に記載の発明は、請求項２又は３に記載のシート状記録材料用包装体を構成する包装材において、略矩形の紙材を一方の側に長手方向と略直交させて二箇所で折り曲げて形成された３つの面の、中央の面を除く一つの面における長手方向と直交する端辺に沿って折り返し構造の側壁を前記一つの面と一体的に設けたものである。
【００２０】
請求項４に記載の発明によれば、一枚の略矩形の紙材の長手方向と略直交する筋押しにより折り曲げ線を２本設け、紙材の同一面側に長手方向と略直交させて二箇所で折り曲げて形成された３つの面のうち、中央の面を除く左右いずれかの一面、すなわち感熱記録材料を収容する底面における、紙材の長手方向と直交する端辺に沿って、折り返し構造の側壁が設けられるため、側壁の強度を充分に確保することができる。その結果、包装材に紙材を採用した場合でも、輸送や取扱い時に変形したり、破損・破断するのが防止される。また、折り返し構造の側壁は底面と一体的に形成されるため、加工が容易である。
【００２１】
折り返し構造は、側壁が紙材の２枚重ねとなる二重構造、３枚重ねとなる三重構造など、必要とされる強度に応じて適宜選択することができる。二重構造の場合、感熱記録材料を収容する側に１回折り曲げた後、該側とは逆側に更に１回折り曲げることによって形成することができる。
【００２２】
請求項５に記載の発明は、上記のように、二箇所を折り曲げてなる中央の面を除く一つの面（底面）における長手方向と平行な辺に、更に折り返し構造の側壁を該底面と一体的に設けたものである。この折り返し構造も上記同様に形成することができる。
【００２３】
請求項５に記載の発明によれば、長手方向と直交する端辺に折り返し構造の側壁が設けられた紙材の、長手方向と平行な二辺に同様の折り返し構造の側壁が設けられるため、紙材からなる包装材に感熱記録材料の集積体を収容した時でも輸送や取扱い時に破損・破断したり、変形するのを防止し得る、充分な強度を確保することができる。
【００２４】
請求項６に記載の発明は、請求項３〜５のいずれかに記載のシート状記録材料用包装体を構成する包装材において、略矩形の紙材を一方の側に長手方向と略直交させて二箇所で折り曲げてなる凹形状の、いずれか一端から長手方向における所定位置で更に他方の側に長手方向と略直交させて少なくとも一回折り返すことにより、前記シート状記録材料を取り出す取出口を形成して一体的に構成され、かつ折り返されてなる紙間に調湿紙板を設けたものである。
【００２５】
請求項６に記載の発明によれば、略矩形の単一紙材の長手方向と略直交させて筋押しされた折り曲げ線において、紙材の同一面側（一方の側）に長手方向と略直交させて二箇所折り曲げて凹形状とし、該凹形状の長手方向と直交する二つの端辺のいずれか一端から長手方向における前記折り曲げ線までの所定位置で、更に逆側（他方の側）に長手方向と略直交させて少なくとも一回折り返すことにより、容易に所望の取出口を設けることができると共に、折り返されてできた紙材の間隙には調湿紙板を介在させることができる。その結果、取出口の形成に際に切断などの加工が不要であり、調湿紙板は外観を損なわないように外部から視認できない位置に配置することができる。
【００２６】
請求項７に記載の発明は、請求項２〜６のいずれかに記載のシート状記録材料用包装体を構成する包装材において、略矩形の紙材の長手方向を紙の目と略平行としたものである。
【００２７】
請求項７に記載の発明によれば、紙材の紙の目を長手方向と略平行とするため、長手方向と略直交する方向の強度を高めることができ、特に筋押しして折り曲げた折り曲げ部における破断・破損を効果的に抑止することができる。
【００２８】
請求項８に記載の発明は、請求項１〜７のいずれかに記載のシート状記録材料用包装体を構成する包装材を、ＬＢＫＰ：ＮＢＫＰ比が重量比で５０：５０〜７０：３０であるバージンパルプから製造された紙によって構成したものである。
【００２９】
請求項８に記載の発明によれば、紙材で構成された包装材から発生する、紙の発塵性が抑えられる。その結果、紙の発塵に起因する画像欠陥などの発生を効果的に抑止することができる。
【００３０】
本発明のシート状記録材料用包装体は、シート形態の記録材料を包装するための包装体として広く利用することができ、特にシート状の感熱記録材料用の包装体として有用である。
【００３１】
【発明の実施の形態】
以下、図面を参照して、本発明のシート状記録材料用包装体の実施形態を説明する。なお、下記の実施形態では、シート状記録材料として、シート形状に構成され、支持体の片側に感熱記録層が設けられた医療用感熱記録材料（以下、単に「感熱記録材料」ということがある。）を用いた場合を中心に説明する。
【００３２】
（第１実施形態）
本発明のシート状記録材料用包装体の第１実施形態を図１〜６を参照して説明する。本実施形態は、半切サイズの医療用感熱記録材料を複数枚積み重ねて収容できるように構成したものである。
【００３３】
図１は第１実施形態に係るシート状記録材料用包装体の斜視図、図２は第１実施形態に係るシート状記録材料用包装体を構成する包装材の斜視図、図３は第１実施形態に係るシート状記録材料用包装体を構成する包装材の展開図、図４は第１実施形態に係る包装材の側壁部分を示す概略図、図５は感熱画像記録装置の一例を示す概略断面図、図６は図５の感熱画像記録装置に装填され、第１実施形態に係る包装材を収容したマガジンの概略断面図である。
【００３４】
図１に示すように、本発明のシート状記録材料用包装体は、外装材である防湿遮光袋１０と包装材２０とで構成される。医療用感熱記録材料は、一般に１００枚程度の複数枚が積み重ねられて包装材２０に収容され、該包装材２０はさらに防湿遮光袋１０で覆われている。防湿遮光袋１０は、防湿機能を有し、袋内を外気から遮断して一定の湿度に保持する。したがって、防湿遮光袋１０の内部に調湿作用のある部材を付与すると、経時での湿度による感度変動を抑止することができる。
【００３５】
本実施形態では、図２に示すように、紙材で構成され、かつ該紙材の少なくとも一部が調湿機能を有してなり、シート状記録材料の集積体を収容する包装材２０と、包装材２０を覆って包装する防湿遮光袋１０とを備えている。本実施形態に係る包装材２０は、図示しない長尺状の紙材を図３に示す略矩形の型に抜き加工し、これを折り曲げ、貼付け等することによって形成される。
【００３６】
包装材２０は、一枚の紙材からなる例えば図３に示す加工紙を用いて、上面２０ａと底面２０ｃと４つの側壁を有して箱型に構成されている。上面２０ａの上部には、上面２０ａと連続する紙材を折り返してなる折り返し面２０ｂが更に設けられ、折り返し面２０ｂを形成することによって、収容された感熱記録材料を取出すための取出口２１が設けられている。本実施形態の上面２０ａと底面２０ｃと４つの側壁は、折り曲げや折返しにより形成されるが、上面２０ａ（及び折返し面２０ｂ）は折り曲げ等によらず、底面および側壁と分割して別途設けるようにしてもよい。
【００３７】
上面２０ａと折り返し面２０ｂとの間隙には、防湿遮光袋１０で密閉された内部を一定の湿度に調湿するための調湿紙板２２が設けられている。調湿紙板２２は、上面２０ａ及び／又は２０ｂに貼付して固定されている。これにより、調湿紙板２２は外部から視認されず、外観を損なうことなく内部湿度を調湿することが可能である。
【００３８】
調湿する内部湿度としては、医療用感熱記録材料のカブリを低く抑える点で、２３℃下で４５±５％ＲＨであることが好ましい。
【００３９】
調湿紙板２２は、包装材２０と同一の若しくは異なる紙材で構成することができる。すなわち、上面２０ａと同一面積以下の範囲で適宜選択されたサイズの紙板を一枚若しくは複数枚用意し、これを一枚、若しくは複数枚を貼り合わせた態様で設けることができる。調湿紙板の大きさや厚み（若しくは枚数）は、紙の材質や、調湿の程度、調湿期間など所望に応じて適宜決定することができ、大きさや枚数により調湿性能をコントロールすることができる。これにより、これまで用いられてきた調湿部材や調湿剤の使用が不要となり、廃棄処理やリサイクルが行なえ、環境適性を付与することができる。
【００４０】
調湿紙板に包装材２０と同一の紙材を用いると、複数種の紙材を用意する必要がなく、低コスト化に有用である。調湿紙板２２は、必ずしも上面２０ａと折り返し面２０ｂとの間隙に介在させる必要はなく、折り返し面２０ｂを設けず、単に上面２０ａや底面２０ｃの表面に設けるようにしてもよい。
また、調湿紙板２２は、現行の加工ラインに適合させる等の点から、包装材２０とは別個に作成することが好ましいが、折り返し面２０ｂの端部と連ねて上面２０ａと折り返し面２０ｂとの間に更に折り畳んで設けるようにしてもよい。
【００４１】
包装材２０の４つの側壁のうち、一枚の加工紙における上面２０ａと底面２０ｃとの間に設けられた側面２４からなる側壁を除く、他の３つの側壁は、図４に示すように、二重の折り返し構造で構成されている。この折り返し構造は、底面２０ｃと連続する紙材を感熱記録材料の集積体が収容される側に一回折り曲げ、更に収容側とは逆側に所望の高さが得られるように一回折り返して形成される折曲げ片２３と折返し片２５若しくは２６とで構成され、折曲げ片２３と折返し片２５、２６との間で貼付け等されている。これにより、輸送や取扱い等による破断、破損を防止し得るハンドリング適性を確保でき、また上記のように、収容側と逆側に折り返してなる折り返し構造とすることによって、収容された感熱記録材料の取出しに支障を来すこともない。
【００４２】
折返し片２５には、図３に示すようにコーナー部を接合するためのフラップ２７及び２８が設けられている。フラップ２７は、図２及び図４に示すように、折返し片２６に貼り付けて折り返し構造の側壁間を接合するようになっている。また、フラップ２８も同様に側壁となる側面２４に貼り付けて接合できるようになっている。フラップ２７、２８は、折返し片２６、側面２４に設けることもできるが、搬送方向等の加工ライン適性の点で、折返し片２５に設けるのが好ましい。
【００４３】
包装材２０の長手方向は、用いた紙の目の方向と略平行となっている。したがって、上記のようにフラップ２７、２８が各々折返し片２６、側面２４側に設けられるのではなく、折返し片２５と一体的に設けられることによって、接合されたコーナー部におけるフラップと折返し片２５との間の折り曲げ部が紙の目の方向と略直交する関係にあるため、折り曲げ線に沿って破断・破損し易い折り曲げ部の強度を高めることができる。
【００４４】
上面２０ａには、図３に示すように、折曲げ片３０及び３１が設けられている。折曲げ片３０は、包装材２０が防湿遮光袋１０内に包装されているときには、図２に示すように、折曲げ片２３と折返し片２５とからなる折り返し構造の側壁の感熱記録材料が収容される側に入り込むように位置している。折曲げ片３０の幅長Ａは、折り返し構造の側壁の高さとなる折曲げ片２３の幅長Ｂとの関係で決定され、折曲げ片２３の幅長Ｂ×７０％以上、折曲げ片２３の幅長Ｂ以下の範囲が望ましい。
【００４５】
折曲げ片３０により、収容されている感熱記録材料が側壁と上面２０ａとの隙間からはみ出して落下等するのを防止することができ、また、使用により枚数が減少して上面２０ａと底面２０ｃとの間隙が狭まらないようにし、取出し時に感熱記録材料が上面２０ａと擦れてキズ等を生ずるのを防止できる。
【００４６】
折曲げ片３１は、折曲げ片３０よりも狭幅に設けられている。折曲げ片３１は、包装材２０が防湿遮光袋１０内に包装されているときには、図２に示すように、折曲げ片３０と同様に折り返し構造の側壁の収容側（内側）またはその逆側（外側）に位置し、後述するマガジンに収納したときには、図２（二点鎖線）に示すように、折曲げ片２３と折返し片２５とからなる側壁上の、上面２０ａと同一平面上に配置される。したがって、既述の幅に設けられた折曲げ片３０と同幅にするとマガジン内に収まらないことがあり、逆にマガジンに収まる幅に折曲げ片３０をも狭幅にすると取扱時に感熱記録材料がはみ出して落下等してしまうことがある。
【００４７】
この折曲げ片３１と上面２０ａとの境界には、部分筋押しを施しておけばよい。例えば（図３参照）、折曲げ片３１の折り曲げ部における長さＩが４０ｍｍのときにはその中央に長さＪが１５ｍｍの筋押しを設けることにより、ある程度の上面（調湿紙板を含む）の重量を支えることができ、かつ手折りする際の折り曲げ易さをも具えることができる。
【００４８】
包装材２０には、フラップ２７（２８）と折返し片２５との間など、折り曲げたときに角が突出する部分にＲ取り３２が施されている。Ｒ取りを施すことにより、図４に示すように、折り曲げてなるコーナー部の角を除去することができる。これにより、防湿遮光袋に包装されて輸送、取扱う際に防湿遮光袋が破けたり、ピンホールができるのを回避でき、袋内の湿度等の変動を防止することができる。
【００４９】
また、包装材２０の底面２０ｃには、収容された感熱記録材料の全てを枚葉状に取出した後、更に吸引しようとする吸盤との間に空気を取り込むと共にフィルム無し検出をするための凹凸３３が設けられている。凹凸３３は、紙材よりなる包装材２０に筋押し加工を施すことにより容易に設けることができる。
【００５０】
次に、包装材２０を構成する紙材について詳述する。
−材質−
紙材には、ＬＢＫＰ：ＮＢＫＰ比が重量比で５０：５０〜７０：３０であるバージンパルプから製造された紙が好適に用いられる。一般に、古紙などを含む紙を用いた場合には発塵して粉紙が感熱記録材料に付着し、白抜けなどの画像欠陥を生ずる一因となるが、上記の比からなるバージンパルプを特に使用することによって発塵を抑止することができる。
【００５１】
前記ＬＢＫＰ：ＮＢＫＰの比が、上記の範囲を超えＬＢＫＰが多くなりすぎると、紙からの発塵が多くなることがあり、逆にＮＢＫＰが多すぎると、紙に水シマ模様（光沢ムラ）ができることがある。特に好ましいＬＢＫＰ：ＮＢＫＰ比としては、５０：５０〜６０：４０である。また、古紙を原料とした再生紙は、紙紛が発生し易く、好ましくない。
【００５２】
包装材に用いる紙は、次のような条件で製造することが好ましい。
−使用薬品−
内添薬品は、サイズ剤のポリアクリルアミド、定着剤の硫酸アルミニウム、紙力剤のカチオン化でんぷん等を用いることが好ましい。
また、表面紙力（塗布）薬として、ポリビニルアルコールを紙表面（表裏両面）に塗布することが、紙粉の発生を更に抑制するため、好ましい。
【００５３】
−紙面ｐＨ−
紙面のｐＨは、特に限定されない。通常は、熱抽出法（ＪＩＳ−Ｐ−８１３３）で４〜４．５のもの（酸性紙）で充分であるが、ＡＫＤ（アルキルケテンダイマー）カルボキシ変性でんぷんを使用したり、水酸化ナトリウム等でｐＨ調整し、ｐＨ７．０〜７．５の中性紙としたものでもよい。
【００５４】
−抄紙方法−
３〜５層の円網方式等従来法を用いることができる。また、ツインワイヤー方式（長網２〜３層）抄き合せでもよい。抄き合せ層には澱粉または変性澱粉をスプレー塗布して、紙力強度向上及び発塵を抑制することが好ましい。
【００５５】
包装材の紙は、次のような性質を有するものが好ましい。
（１）  包装材の紙は、表面強度が、１２〜１８Ａであるものが好ましく、特に１２〜１６Ａであるものが、発塵が少なく好ましい（ＪＩＳ−Ｐ−８１２９，パインワックス法）。
（２）  包装材の紙の坪量は、３００〜４５０ｇ／ｍ２が好ましく、特に３４５〜４２５ｇ／ｍ２が好ましく、更に３９０〜４１０ｇ／ｍ２が上記の表面強度を得るために好ましい（ＪＩＳ−Ｐ−８１２４）。
【００５６】
（３）  その他、次の物性値を有する紙が上記の表面強度を得る上で好ましい。厚さ：  ４５５±５０μｍが好ましく、特に４５０〜５００μｍが好ましい（ＪＩＳ−Ｐ−８１１８）。
密度：  ０．８４±０．１ｇ／ｃｍ３が好ましく、特に０．８２〜０．８６ｇ／ｃｍ３が好ましい（坪量と厚さから算出）。
平滑度：  ３５±１０秒が好ましく、特に３０秒〜４５秒が好ましい（ＪＩＳ−Ｐ−８１１９、ベック式平滑度）。
剛度：  １５±５ｍＮ・ｍが好ましく、特に１３〜１８ｍＮ・ｍが好ましい（ＪＩＳ−Ｐ−８１２５）。
層間強度：  ９０±１５Ｎ／ｍが好ましく、特に８５〜１００Ｎ／ｍが好ましい（ＪＩＳ−Ｐ−８１３９）。
【００５７】
本発明では、包装材および包装紙板を構成する紙に調湿能を持たせることができる。このための、紙の含水率は、５〜８％であることが好ましく、特に６〜７％であることが好ましい。含水率は記録材料のカブリに影響があり、カブリを少なくするためには、このような値とすることが好ましい。
【００５８】
本発明のシート状記録材料用包装体は、例えば以下のようにして作製することができる。
まず、包装材を構成する紙材は、Ｌ材（ＬＢＫＰ）とＮ材（ＮＢＫＰ）の重量比が下記表２に示す値である紙を用いて下記のように製造し、これを一枚の矩形状の紙材とし、更に以下に示すようにして図２に示す包装材とし、これに富士ドライ画像記録用フィルムＤＩ−ＡＴ（富士写真フィルム（株）製）を１０１枚入れ、製函する。なお、上記のフィルムを取り出し現像処理した後の、スポット故障（ＷＳ）の個数を下記表１の基準にしたがい評価を行なった結果を下記表２及び３に示す。
【００５９】
すなわち、下記表２に示す１〜３種のパルプを６層の円網方式で抄紙した。従来法を抄き合せ層には変性澱粉を層間にスプレー塗布した。内添薬品は、サイズ剤のロジンサイズ（荒川化学（株）製）、定着剤の硫酸アルミニウム（住友化学（株）製）、紙力剤のカチオン化でんぷん（荒川化学（株）製）を用いた。また、表面紙力（塗布）薬として、ポリビニルアルコールを紙表面（表裏両面）に浸水式塗布した。得られた紙面のｐＨは４．２であり、坪量は３９５ｇ／ｍ２であった。
【００６０】
【表１】
2004168362.tif 000002
【００６１】
【表２】
2004168362.tif 000003
【００６２】
【表３】
2004168362.tif 000004
【００６３】
上記より得た一枚の矩形状の紙材を所望の型状に抜き加工し、さらに抜き加工と共に折り曲げ部の筋押し加工などを施すことによって、図３に示すように、最終的に作製される包装体を展開した状態の加工紙を作成する。このとき、抜き加工と筋押し加工は、一般に同時に行なうことができる。
【００６４】
図３に示すように、底面２０ｃと上面２０ａとの間には筋押しによる２本の折り曲げ線によって側壁となる側面２４が設けられ、上面２０ａと折り返し面２０ｂとの間には同様に２本の折り曲げ線によって厚みを確保するための面２９が設けられている。図３に示される底面２０ｃの表面は感熱記録材料が収容される側の面である。底面２０ｃと上面２０ａとの間の２本の折り曲げ線において、感熱記録材料を収容する収容側に折り曲げられ、更に上面２０ａと折り返し面２０ｂとの間の２本の折り曲げ線において収容側とは逆側に折り曲げられると、図２に示すように、取出口２１を有する凹型に形成される。
【００６５】
このとき、側面２４と上面２０ａとの間の折り曲げ線において収容側に折り曲げた後、一旦収容側と逆側に１８０°折り返す工程を施しておくことが、記録用フィルムを収納するために上面２０ａおよび折返し面２０ｂを側面２４に沿って開くときに容易に折り曲げることができる点で好ましい。
【００６６】
図３に示す底面２０ｃには、長手方向と平行な二辺において、側壁を構成する折曲げ片２３と折返し片２５とが設けられ、同様に長手方向と直交する端辺において側壁を構成する折曲げ片２３と折返し片２６とが設けられている。折返し片２５には、フラップ２７、２８が設けられている。底面２０ｃと折曲げ片２３との間の筋押し線において折曲げ片２３を収容側に折り曲げ、更に折曲げ片２３と折返し片２５、２６との間の筋押し線において折返し片２５、２６を各々収容側と逆側に折り曲げ、折曲げ片２３と折返し片２５、２６との間を貼付けると共にフラップ２７、２８で接合することによって、図４に示すように、紙材が二枚重ねられて構成された折り返し構造の側壁が形成される。
【００６７】
また、図３に示す上面２０ａには、長手方向と平行な二辺において、折曲げ片３０及び３１が設けられている。折曲げ片３０及び３１は、上面２０ａと折曲げ片３０、３１との間の筋押し線において収容側に折り曲げられ、上記の凹形状とした際に折り返し構造の側壁の収容側に挿入される。
【００６８】
上面２０ａと折返し面２０ｂとの間には、面２９の幅に相当する厚み分の空間が形成されており、包装材２０と同じ紙を３枚貼り付けて積層状にした調湿紙板２２が狭持される。以上のようにして、シート状記録材料用包装体を作製することができる。
【００６９】
フラップ取付位置による包装体の強度について、図１０を参照して説明する。以上にように作製したシート状記録材料用包装体のフラップ２８を貼付してなる接合部（コーナー部）ａ及びｂ（すなわち図１０（ｉｉ）の形態）における強度を、フラップ２８を側面２４側に設けて折返し片２５に貼付し接合した場合（図１０（ｉｉｉ）の形態）と比較する。すなわち、図１０（ｉ）に示すように、包装材２０の上面２０ａ（及び折返し部２０ｂ）を１８０°折返した状態にし、さらに上面２０ａ端部付近にパンチで穴を開け、底面２０ｃに荷重を加えて固定した状態で、前記穴にテンションゲージを取付けて矢印方向に引張り、接合部ａ又はｂが破壊されるまでの強度を測定した。すると、図１０中の（ｉｉ）の形態としたときの強度は５．０〜６．２ｋｇｆであり、（ｉｉｉ）の形態としたときの強度は２．０〜２．５ｋｇｆであった。フラップは図１０の（ｉｉ）及び（ｉｉｉ）のいずれの態様で設けることもできるが、強度の点ではフラップ２８を折返し片２５側に設けて側面２４に貼付する図１０（ｉｉ）の形態の方が優れている。
【００７０】
防湿遮光袋１０は、例えば図１及び図２に示すように、遮光性及び防湿性を有するシート状の包装材料をシール部１１と図示しないセンターシール部とで接着して袋状に形成したものが挙げられる。防湿遮光袋１０によって包装された感熱記録材料は、必要により更に個装箱に収納される。
【００７１】
防湿遮光袋１０を構成する包装材料は、白灯下においても包装された感熱記録材料を遮光状態に保つことができる十分な遮光性と防湿性とを有する。このような包装材料としては、例えば袋の外側から、最外層として厚さ１２μｍのポリエチレンテレフタレート層、中間層として厚さ９μｍのアルミニウム層及び厚さ１５μｍのナイロン層、最内層として厚さ６０μｍのポリエチレン層がそれぞれ接着剤層を介して積層されてなるもの等が挙げられる。
【００７２】
次に、図５及び図６を参照して、本発明のシート状記録材料用包装体を装填して用いる感熱画像記録装置を例に説明する。
感熱画像記録装置（以下、単に「記録装置」という。）４０は、半切サイズのシート状の感熱記録材料（以下、「感熱シートＡ」という。）にサーマルヘッド４１で感熱記録を行うものであり、シート状記録材料用包装体から取出した本発明に係る包装材２０が収納されたマガジン７０が装填される装填部４２、供給搬送部４３、記録搬送部４４、サーマルヘッド４１が配置された記録部４５、および排出部４６が備えられている。
【００７３】
感熱シートＡは、ポリエチレンテレフタレート（ＰＥＴ）等のフィルムを支持体として、その表面に感熱記録層を塗設してなるものであり、通常１００枚程度の所定単位の集積体（束）として包装材に収容され、これが更に袋体や箱等で包装されてパッケージとされている。
【００７４】
感熱シートＡを収容した包装材２０は、未使用時には防湿遮光袋１０内に密閉された状態で保管されており、使用時に包装材２０が防湿遮光袋１０から取り出され、感熱記録材料は、図５に示すように包装材２０ごとマガジン７０に収納され、マガジン７０が記録装置４０の装填部４２に装填されることにより記録装置４０に供給される。
本発明に係る包装材２０によれば、防湿遮光袋１０に収納された未使用時のみならずマガジン７０収納後においても、感熱シートＡは所定湿度に保持できるため湿度変化による感度変動を生じることがなく、高画質な画像を安定的に形成することができる。また、包装材２０ごとマガジン７０に収納可能なため、感熱シートＡを調湿機能を保持したまま容易に収納でき、しかも感熱シートＡに直接手を触れることなく収納でき、手の油等が付着することによる感熱画像記録への悪影響も防止できる。
【００７５】
調湿紙板２２は、包装材２０の上面２０ａと折り返し面２０ｂの間に介在させて貼着されているが、これに限定されるものではない。例えば、感熱記録材料が収容される側である内面や、底面２０ｃの収容する側の逆側に貼着してもよい。但し、調湿は一般に調湿紙板２２に近い領域から行なわれるため、包装材２０の上面等の感熱シートＡと隔てられた領域に調湿紙板２２を配置し、感熱シートＡには直接触れない構成とすることが収容される全ての感熱シートＡを均一の湿度下に保持できる点で好ましい。
【００７６】
また、調湿紙板は包装材に設けるのではなく、防湿遮光袋の内面に貼着・固定し、防湿遮光袋ごとマガジンに収容するようにしてもよい。この場合、使用時に防湿遮光袋の調湿紙板が設けられていない部位まで切り取って感熱シートＡを取出し可能に構成したり、あるいは防湿遮光袋に感熱シートＡを取出すための取出窓（取出口）を形成して粘着テープ等からなるシール材で閉塞しておき、使用時にシール材を剥して防湿遮光袋ごとマガジンに収容するようにしてもよい。また更に、防湿遮光袋に代えて防湿箱に収納するようにしてもよい。
【００７７】
感熱記録材料が収容された包装材２０は、使用に際して防湿遮光袋１０から取出され、記録装置４０の装填部４２に取付け／取り外し自在なマガジン７０に収容され、マガジン７０が装填部４２に装填されることによって、感熱記録材料は記録装置４０に供給される。なお、調湿紙板が防湿遮光袋の内側に貼着されてなる場合には、防湿遮光袋ごとマガジン７０に収容される。
【００７８】
マガジン７０を側面から見た時の概略断面を図６に示す。マガジン７０は、上面が開放する筐体である下ケース７０ａと、下ケースの開放面を全面的に閉塞して下ケース７０ａに固定される上ケース７０ｂとで構成される。また、上ケース７０ｂの包装材２０の取出口２１に対応する部位には、開閉自在な蓋体７１が設けられている。
【００７９】
下ケース７０ａと上ケース７０ｂとは取付け／取外し自在に構成されており、両者を組合わせるときにはマグネット等の公知の手段によって固定される。感熱記録材料のマガジン７０への装填は、下ケース７０ａから上ケース７０ｂを外して包装材２０ごと下ケース７０ａに収容した後、上ケース７０ｂを固定することにより行なえる。また、下ケース７０ａと上ケース７０ｂとの接合部、並びに蓋体７１と上ケース７０ｂおよび下ケース７０ａの接合部には、全周に渡って図示しない発泡ウレタン等のスポンジが設けられ、蓋体７１の閉塞時にマガジン７０内部の気密性を保持して感熱シートＡを所定湿度環境下に保つ。
【００８０】
マガジン７０は、記録装置４０の装填部４２に装填される。装填部４２は、記録装置４０の筐体５１に形成された案内板のある挿入口４７、並びに案内ロール５２及び停止部材５３を有しており、マガジン７０は蓋体７１側を先頭にして挿入口４７から記録装置４０内に挿入され、案内板及び案内ロール５２に案内されて停止部材５３に当接する位置に装填される。
【００８１】
供給搬送部４３は、吸引によって感熱シートＡを吸着する吸盤５４を有する枚葉機構と搬送手段４８と搬送ガイド５５とを備え、装填部４２に装填されたマガジン７０から感熱シートＡが取り出されると、搬送方向下流の記録搬送部４４に搬送するようになっている。また、搬送手段４８は、搬送ローラ５６と、搬送ローラ５６と同軸のプーリ５７ａと、回転駆動源と接続されるプーリ５７ｂと、テンションプーリ５７ｃと、プーリ５７ａ、５７ｂ及び５７ｃに張架された無端ベルト５８と、搬送ローラ５６に押圧されるニップローラ５９とで構成されており、吸盤５４によって枚葉された感熱シートＡの先端を搬送ローラ５６とニップローラ５９とによって挟持し感熱シートＡを下流に搬送するようになっている。
【００８２】
記録搬送部４４は、規制ローラ対６０と搬送ローラ６１とガイド６２とで構成されている。記録部４５は、サーマルヘッド４１とプラテンローラ６３とサーマルヘッド４１を冷却する冷却ファン６４とガイド６５とで構成されている。サーマルヘッド４１は、例えば約３００ｄｐｉの記録（画素）密度の感熱記録が可能であり、感熱シートＡへの感熱記録を行うグレーズが形成されたサーマルヘッド本体とサーマルヘッド本体に固定されたヒートシンクとを備え、支点６６ａを軸に矢印方向ｃおよび逆方向に回動自在な支持部材６６によって支持されている。
【００８３】
記録装置４０を起動すると、図示しない開閉機構によって蓋体７１が開放され、図６に示すように、吸盤５４によってマガジン７０（包装材２０の取出口２１）から感熱シートＡを一枚取り出し、図５に示すように感熱シートＡの先端を搬送手段４８（搬送ローラ５６／ニップローラ５９間）に供給する。搬送ローラ５６とニップローラ５９とによって感熱シートＡが挟持された時点で吸盤５４による吸引は開放され、供給された感熱シートＡは、搬送ガイド５５によって案内されて記録搬送部４４に搬送される。感熱シートＡがマガジン７０から完全に排出された時点で蓋体７１は閉塞され、内部が気密に保たれる。なお、開閉手段は、リンク機構を用いたものやベルトドライブを用いたもの等、公知の構成とすることができる。
【００８４】
記録搬送部４４において、感熱シートＡは先ずその先端が規制ローラ対６０に達する。このとき、搬送ガイド５５によって規定される搬送手段４８から規制ローラ対６０までの距離は、感熱シートＡの搬送方向の長さより若干短く設定される。規制ローラ対６０は、最初停止された状態にあり、感熱シートＡの先端が規制ローラ対６０に達するとサーマルヘッド４１の温度が確認され、サーマルヘッド４１が所定温度に達している時には規制ローラ対６０による感熱シートＡの搬送が開始され、感熱シートＡはガイド６２に案内にされながら記録部４５に搬送される。感熱シートＡが記録部４５に搬送される前は、支持部材６６は上方（矢印方向ｃ又は逆方向）に回動しており、サーマルヘッド４１（グレーズ）とプラテンローラ６３とは接触していない。そして、記録搬送部４４によって感熱シートＡの先端が記録開始位置（サーマルヘッド４１のグレーズに対応する位置）まで搬送されると、支持部材６６が矢印方向ｃに回動し、感熱シートＡはサーマルヘッド４１とプラテンローラ６３とで挟持される。感熱シートＡは、プラテンローラ６３によって所定位置に保持されながら下流に搬送され、サーマルヘッド４１により記録画像に応じてグレーズの各記録ドットに加熱される。以上のようにして、感熱シートＡに画像が記録される。
【００８５】
画像記録が終了した感熱シートＡは、ガイド６５に案内されてプラテンローラ６３および搬送ローラ対６７によって搬送され、排出部４６のトレイ６８に排出される。トレイ６８は、筐体５１に形成された排出口４９を経て記録装置４０の外部に突出している。画像が記録された感熱シートＡは、この排出口４９を経由して外部に排出され、取り出される。
【００８６】
（第２実施形態）
本発明のシート状記録材料用包装体の第２実施形態を図７〜９を参照して説明する。本実施形態は、Ｂ４サイズの医療用感熱記録材料を複数枚積み重ねて収容できるように構成したものである。尚、紙材は第１実施形態で使用したものを用いることができ、第１実施形態と同様の構成要素には同一の参照符号を付してその詳細な説明を省略する。
【００８７】
図７は第２実施形態に係るシート状記録材料用包装体を構成する包装材の展開図、図８は第２実施形態に係るシート状記録材料用包装体を構成する包装材の斜視図、図９は第２実施形態に係る包装材の側壁部分を示す概略図である。
【００８８】
本実施形態に係る包装材８０は、図示しない長尺状の紙材を例えば図７に示す略矩形の加工紙に抜き加工し、これを折り曲げ、貼付け等することによって形成される。
本実施形態においては、一枚の紙材からなる図７に示す加工紙を用いることにより、上面８０ａと底面８０ｃと４つの側壁を有して箱型に構成され、加工紙の長手方向と直交する端辺に沿って設けられた側壁のみが、図９に示すように、二重の折り返し構造で構成されている。
【００８９】
折り返し構造は、第１実施形態と同様にして構成することができ、底面８０ｃと連続する紙材を感熱記録材料の集積体が収容される収容側に一回折り曲げ、更に収容側とは逆側に所望の高さが得られるように一回折り返して形成される折曲げ片８２と折返し片８３とで構成され、折曲げ片８２と折返し片８３との間で貼付け等されている。
【００９０】
加工紙（包装材８０）の長手方向と平行な二辺に沿って設けられる側壁８１は、加工紙を一回だけ折り曲げたものである。Ｂ４サイズよりも小サイズの感熱記録材料の場合には、上記のように複数枚重ねてなる折り返し構造の側壁としなくても充分な強度を保持することができる。なお、第１実施形態と同様に折り返し構造に構成することもできる。
【００９１】
また、上面８０ａの上部には、上面８０ａと連続する紙材を、感熱記録材料を収容する側とは逆側に折り返してなる折り返し面８０ｂが更に設けられ、この折り返し面８０ｂの形成によって、図８に示すように、収容された感熱記録材料を取出すための取出口２１が設けられている。
【００９２】
本実施形態においても上記同様の理由で、側面２４と上面８０ａとの間の折り曲げ線において収容側に折り曲げた後、一旦収容側と逆側に１８０°折り返す工程を施しておくことが好ましい。
【００９３】
本実施形態では、図７に示すように、折返し片８３にコーナー部を接合するためのフラップ８４が設けられ、フラップ８４は、図９に示すように、折曲げ片８１側に貼り付けて側壁間のコーナー部を接合するようになっている。フラップ８４が折返し片８３側に設けられることにより、接合されてなるコーナー部は二重構成の側壁同士が接合した構造となるため、輸送や取扱い時に破断・破損を招来しない強度を確保することできる。一方、フラップ８４を折曲げ片８１側に設けた場合には、折曲げ片８１側の側壁は一重（一枚）で構成されるのに対し、折曲げ片８２及び折返し片８３による側壁は二重の折返し構造を有すると共にこれに更にフラップ８４が付加され三重構成となる結果、フラップ８４と折曲げ片８１との間の折り曲げ部で力を受け易く、破断・破損し易くなる。
【００９４】
また一般に、加工紙（包装材８０）は加工ラインにおいてその長手方向に搬送されるため、第１実施形態のようにフラップの貼付け部は搬送方向と平行な側壁に設けられないことが望ましいが、Ｂ４サイズ以下の小サイズの場合には貼付け部が搬送方向と平行な側壁にあっても工程に大きく支障を来すことがない。
【００９５】
また、折曲げ片８１には、側面２４と接合するためのフラップ８５が設けられ、側壁となる側面２４側に貼り付けて接合できるようになっている。既述したように、包装材８０の長手方向は用いた紙の目の方向と略平行とされる。したがって、上記のようにフラップ８５が側面２４側に設けられるのではなく、折返し片８１と一体的に設けられることによって、接合されたコーナー部におけるフラップと折返し片８１との間の折り曲げ部が紙の目の方向と略直交する関係にあるため、折り曲げ線に沿って破断・破損し易い折り曲げ部の強度を高めることができる。
【００９６】
なお、上記のフラップ８４と折返し片８３との間の折り曲げ部は紙の目の方向に略平行関係となるが、Ｂ４サイズ以下の小サイズの場合にはそれ程感熱記録材料の自重が大きくなく、破断等に大きな支障を来すこともない。
【００９７】
上記では、半切サイズおよびＢ４サイズの医療用感熱記録材料を例に説明したが、他のサイズについても同様である。また、医療用感熱記録材料を用いた例を中心に説明したが、他のシート状の記録材料に適用することもできる。
【００９８】
【発明の効果】
本発明によれば、紙材を用いて構成され、リサイクルが可能で、調湿機能を具えて湿度に起因する感動変動を抑止でき、発塵による画像欠陥の発生がなく、輸送や取扱い上充分な強度を備えると共に、加工容易で現行の加工ライン適性をも有するシート状記録材料用包装体を提供することができる。
【図面の簡単な説明】
【図１】本発明の第１実施形態に係るシート状記録材料用包装体の一例を示す斜視図である。
【図２】本発明の第１実施形態に係るシート状記録材料用包装体を構成する包装材の斜視図である。
【図３】本発明の第１実施形態に係るシート状記録材料用包装体を構成する包装材の展開図である。
【図４】本発明の第１実施形態に係る包装材の側壁部分を示す概略図である。
【図５】感熱画像記録装置の一例を示す概略断面図である。
【図６】図５の感熱画像記録装置に装填され、本発明の第１実施形態に係る包装材を収容したマガジンの概略断面図である。
【図７】本発明の第２実施形態に係るシート状記録材料用包装体を構成する包装材の展開図である。
【図８】本発明の第２実施形態に係るシート状記録材料用包装体を構成する包装材の斜視図である。
【図９】本発明の第２実施形態に係る包装材の側壁部分を示す概略図である。
【図１０】シート状記録材料用包装材の強度測定法を説明するための図である。
【符号の説明】
１０…防湿遮光袋
２０，８０…包装材
２１…取出口
２２…調湿紙板
４０…感熱画像記録装置
７０…マガジン
【図１】
2004168362.tif 000005
【図２】
2004168362.tif 000006
【図３】
2004168362.tif 000007
【図４】
2004168362.tif 000008
【図５】
2004168362.tif 000009
【図６】
2004168362.tif 000010
【図７】
2004168362.tif 000011
【図８】
2004168362.tif 000012
【図９】
2004168362.tif 000013
【図１０】
2004168362.tif 000014